(57)【特許請求の範囲】
【請求項１】
ＦＰＣ／ＦＦＣの挿入溝と、このＦＰＣ／ＦＦＣ挿入溝内に突出する弾性接触脚を有し基板上に半田付けされる、該ＦＰＣ／ＦＦＣ挿入溝の幅方向に整列したコンタクト群とを有するインシュレータ；
上記コンタクト群の上記弾性接触脚に導通させるランド群を有する先端部が直線状のＦＰＣ／ＦＦＣ；及び
上記インシュレータのＦＰＣ／ＦＦＣ挿入溝にＦＰＣ／ＦＦＣとともに挿入され先端面が連続している予圧壁を有し、ＦＰＣ／ＦＦＣのランド群とコンタクト群とに接触圧力を与えるスライダ；を備え、
上記スライダの予圧壁は、平面的に見てその先端部の略中央部がＦＰＣ／ＦＦＣ挿入溝側に突出していることを特徴とするＦＰＣ／ＦＦＣ用コネクタ。
【発明の詳細な説明】
【０００１】
【技術分野】
本発明は、フレキシブルプリント回路基板（ＦＰＣ）やフレキシブルフラットケーブル（ＦＦＣ）を、インシュレータに支持されているコンタクト群に接続するコネクタに関する。
【０００２】
【従来技術とその問題点】
ＦＰＣやＦＦＣ用のコネクタ（以下ＦＰＣ／ＦＦＣ用コネクタ）の一種として、コンタクト群を有するインシュレータと、このコンタクト群とＦＰＣ（／ＦＦＣ）とに接触圧力を与えるスライダとを有するタイプが知られている。スライダは、インシュレータのＦＰＣ（／ＦＦＣ）挿入溝にＦＰＣとともに挿入され、コンタクト群を弾性変形させてＦＰＣのランド群とコンタクト群とを導通させる。
【０００３】
このＦＰＣ／ＦＦＣ用コネクタでは、コンタクト群の数を増加させる多極化が進行している。多極化が進むと、スライダを挿入するとき、コンタクト群を弾性変形させるために大きな力を必要とし、いわゆるＺＩＦ（Zero Insertion Force）の要求から遠ざかり、作業性が悪化する。
【０００４】
【発明の目的】
本発明は従って、多極化が進行するコネクタにおいて、スライダの挿入力を小さくできるＦＰＣ／ＦＦＣ用コネクタを得ることを目的とする。
【０００５】
【発明の概要】
本発明は、ＦＰＣ／ＦＦＣの挿入溝と、このＦＰＣ／ＦＦＣ挿入溝内に突出する弾性接触脚を有し基板上に半田付けされる、該ＦＰＣ／ＦＦＣ挿入溝の幅方向に整列したコンタクト群とを有するインシュレータ；上記コンタクト群の上記弾性接触脚に導通させるランド群を有する先端部が直線状のＦＰＣ／ＦＦＣ；及び上記インシュレータのＦＰＣ／ＦＦＣ挿入溝にＦＰＣ／ＦＦＣとともに挿入され先端面が連続している予圧壁を有し、ＦＰＣ／ＦＦＣのランド群とコンタクト群とに接触圧力を与えるスライダ；を備え、上記スライダの予圧壁は、平面的に見てその先端部の略中央部がＦＰＣ／ＦＦＣ挿入溝側に突出していることを特徴としている。
【０００８】
【発明の実施形態】
図１ないし図５は、本発明によるＦＰＣ／ＦＦＣ用コネクタの一実施形態を示している。このコネクタは、基板Ｂ上に固定される合成樹脂製のインシュレータ（ハウジング）１０と、基板Ｂ上のランドＢＬ群にそれぞれ半田付けされこのインシュレータ１０に支持されるコンタクト２０群と、ＦＰＣ３０のランド３１群とこのコンタクト２０群とに接触圧力を与える合成樹脂製のスライダ（アクチュエータ）４０とを備えている。
【０００９】
インシュレータ１０は、ダミーランドＤＬに半田付けされる固定金具１１を介して基板Ｂ上に固定される。このインシュレータ１０は、ＦＰＣ３０とスライダ４０を挿入するＦＰＣ（／ＦＦＣ）挿入溝１２と、このＦＰＣ挿入溝１２と直交するコンタクト収納溝１３群を有している。
【００１０】
各コンタクト収納溝１３にはそれぞれコンタクト２０が圧入固定されている。各コンタクト２０はそれぞれ、基板ＢＬへの半田付け脚２１と、インシュレータ１０のＦＰＣ挿入溝１２の下面に延びるスライダ係合部２２と、インシュレータ１０のＦＰＣ挿入溝１２内に突出する弾性接触脚２３とを備えている。スライダ係合部２２と弾性接触脚２３は、ＦＰＣ挿入溝１２を囲むように略Ｕ字状をなしており、弾性接触脚２３は、ＦＰＣ挿入溝１２から後退する方向にコンタクト収納溝１３群内で弾性変形できる。多数のコンタクト２０は、一列に整列している。
【００１１】
インシュレータ１０は、スライダ４０用の左右一対の弾性変形可能な支持アーム１５を備え、この弾性支持アーム１５には、ロック突起１６が形成されている。スライダ４０は、インシュレータ１０の弾性支持アーム１５の内側に入り込む左右一対の挿入アーム４１と、この左右の挿入アーム４１の間に位置し、ＦＰＣ挿入溝１２に挿入される予圧壁４２とを有している。左右の挿入アーム４１にはそれぞれ、ロック突起１６に係合するロック突起４３とロック凹部４４が順に形成されており、挿入アーム４１を弾性支持アーム１５の内側にスライドさせて挿入すると、ロック突起４３がロック突起１６と当接して弾性支持アーム１５を一旦外方に弾性変形させ、ロック突起１６がロック凹部４４に係合すると、スライダ４０がインシュレータ１０にロックされる。
【００１２】
インシュレータ１０とスライダ４０の回動支持機構及びロック機構は、従来多数が知られており、以上のＦＰＣ／ＦＦＣ用コネクタの構成は、特別新規なものではない。
【００１３】
本実施形態の特徴は、以上のコネクタにおいて、スライダ４０の予圧壁４２の形状を、図１、図６に示すように、平面的に見てその先端部の略中央部がＦＰＣ／ＦＦＣ挿入溝側に突出した、扁平なＶ字状またはＵ字状とした点にある。予圧壁４２の形状をこのように設定すると、予圧壁４２は、ＦＰＣ挿入溝１２に挿入するにつれて、整列したコンタクト２０群を同時に弾性変形させることなく時間差を与えて変形させることとなる。
【００１４】
すなわち、上記構成の本ＦＰＣ／ＦＦＣ用コネクタは従って、スライダ４０の予圧壁４２上にＦＰＣ３０を重ね、インシュレータ１０のＦＰＣ挿入溝１２に挿入する。すると、ＦＰＣ３０は、インシュレータ１０のＦＰＣ挿入溝１２内に露出している弾性接触脚２３を弾性変形させ、そのランド３１群を弾性接触脚２３に接触させる。このＦＰＣ３０とスライダ４０のＦＰＣ挿入溝１２への挿入の際、図６に概念的に示すように、コンタクト２０群のうち、最初に整列方向の略中央部に位置するコンタクト２０の弾性接触脚２３が予圧壁４２の中央突出部によって弾性変形し、その後周辺部の弾性接触脚２３が徐々に弾性変形していく。従って、スライダ４０の挿入抵抗（力）が急激に大きくなることがなく、比較的小さい挿入力が比較的長い時間続いて挿入されることになる。
【００１５】
この作用は、従来のスライダと比較すると明らかである。従来のスライダ４０の予圧壁４２は、その先端部がコンタクト２０の整列方向と平行な直線状であった。先端部が直線状であると、すべてのコンタクト２０の弾性接触脚２３が同時に弾性変形するため（同時に弾性変形させなければならないため）、一時的に大きな挿入力を必要としていた。
【００１６】
図７は、スライダ４０の予圧壁４２の別の形状例を示している。この実施形態の基本構成は第一の実施形態と同様であり、スライダ４０（予圧壁４２）の幅が第一の実施形態より長い。
【００１８】
以上の実施形態では、インシュレータ１０のＦＰＣ挿入溝１２の上側に、コンタクト２０の弾性接触脚２３が位置しているが、上下関係は逆でもよい。また、本発明は、以上の実施形態のスライドタイプのスライダ４０を有するＦＰＣ／ＦＦＣ用コネクタだけでなく、スライダが回動するタイプにも適用できる。
【００１９】
【発明の効果】
以上のように本発明によれば、スライダの挿入力を小さくできるＦＰＣ／ＦＦＣ用コネクタを得ることができる。
【図面の簡単な説明】
【図１】  本発明によるＦＰＣ／ＦＦＣ用コネクタの一実施形態を示す、スライダ挿入前の状態の斜視図である。
【図２】  同挿入後の状態を示す斜視図である。
【図３】  同挿入状態の平面図である。
【図４】  図３のIV‐IV線に沿う断面図である。
【図５】  同一部を断面として示す斜視図である。
【図６】  スライダ挿入時の予圧壁とコンタクト群との関係を示す平面図である。
【図７】  本発明によるＦＰＣ／ＦＦＣ用コネクタの別の実施形態を示す、スライダ挿入前の状態の斜視図である。
【図１】
0004718023.tif 000002
【図２】
0004718023.tif 000003
【図３】
0004718023.tif 000004
【図４】
0004718023.tif 000005
【図５】
0004718023.tif 000006
【図６】
0004718023.tif 000007
【図７】
0004718023.tif 000008